(57)【要約】【課題】通信チャネル信号の段階で同期確立できた場合であっても発呼局の発ＩＤを取得可能な受信装置を提供すること。【解決手段】少なくとも同期ワードと送信局の発ＩＤを含む同期バースト信号と、同期バースト信号に連続して同期ワードと音声データを含む通信チャネル信号からなる送信信号を受信した前記送信信号を復調して同期ワードを検出し、受信した送信信号を復号する受信装置において、前記受信装置は、復号処理された復号データに前記発ＩＤが含まれているか否かを判定する発ＩＤ判定部と、受信開始から一定期間同期バースト信号を含む受信信号を記憶する記憶部と、前記記憶部に記憶された前記受信信号から発ＩＤを抽出する発ＩＤ抽出部と、を備え、前記発ＩＤ判定部で前記発ＩＤが復号データに含まれていなかったと判定した場合、前記記憶部に記憶された受信信号から前記発ＩＤ抽出部によって前記発ＩＤを抽出して送信局を特定するようにした。【選択図】図１
2015211369.tif 000002
【特許請求の範囲】
【請求項１】
少なくとも同期ワードと送信局の発ＩＤを含む同期バースト信号と、同期バースト信号に連続して同期ワードと音声データを含む通信チャネル信号からなる送信信号を受信し、受信した前記送信信号を復調して同期ワードを検出し、受信した送信信号を復号する受信装置において、
前記受信装置は、
復号処理された復号データに前記発ＩＤが含まれているか否かを判定する発ＩＤ判定部と、
受信開始から一定期間同期バースト信号を含む受信信号を記憶する記憶部と、
前記記憶部に記憶された前記受信信号から発ＩＤを抽出する発ＩＤ抽出部と、を備え、
前記発ＩＤ判定部で前記発ＩＤが復号データに含まれていなかったと判定した場合、
前記記憶部に記憶された受信信号から前記発ＩＤ抽出部によって前記発ＩＤを抽出して送信局を特定することを特徴とする受信装置。
【請求項２】
自局と同じグループに属する局の発ＩＤを前記記憶部に予め記憶し、受信信号から取得した発ＩＤを前記記憶部に予め記憶した発ＩＤと照合し受信信号から取得した発ＩＤが前記記憶部に記憶した発ＩＤと一致しない場合、音声データを出力しないことを特徴とする請求項１記載の受信装置。
【発明の詳細な説明】
【技術分野】
【０００１】
本発明は、消防・救急無線等で採用されている無線通信システムにおける受信装置に関するものであり、詳しくは、送信元から送信された送信信号に含まれる同期バースト信号を受信している間に送信元の発ＩＤを取得できない場合でも記憶した受信信号から発ＩＤを取得可能にする受信装置に関するものである。
【背景技術】
【０００２】
消防無線、救急無線等の分野に採用されているデジタル無線通信システムにおいて、送信側では受信側が同期確立したか否かの確認ができない。従って、同期確立をより確実にするめに同期バースト信号を複数回連続で送信することで受信側が同期確立したものと見なして、複数フレームの同期バースト信号を送信した後に連続して音声データ等からなる通信チャネル信号を送信するようにしている。しかし、受信側の受信状態によっては、同期バースト信号受信中に同期処理が間に合わずに同期確立ができない場合がある。
【０００３】
ここで、特許文献１には、端末局同士が基地局を介さず単信方式で直接通信する移動局間直接通信を行う場合に、受信側の端末局が同期バースト信号受信中に同期確立できないと、送信側の端末局から再度送信される同期バースト信号によって同期が可能となるまでは、データの受信が不可能となるために、同期バースト信号での同期処理が失敗した場合でも、通信チャネル信号に含まれる同期ワードを利用して同期確立させて受信同期処理が可能な受信同期方法及び受信同期処理装置が開示されている。
【特許文献１】特開２００１−２１１１４６号公報
【発明の開示】
【発明が解決しようとする課題】
【０００４】
前記特許文献１に記載の通り、同期バースト信号受信中に同期確立ができなくても、通信チャネル信号に含まれる同期ワードを利用して同期を確立させることが可能であるため、同期を確立した時点から通信チャネルの音声データを再生することが可能となる。しかし、消防無線・救急無線の無線仕様においては、同期バースト信号に含まれるＰＩＣＨ（パラメータ情報チャネル）データの中に発呼局（送信局）の発ＩＤを含め、通信チャネル信号には発ＩＤを含めないこととなっている。よって、通信チャネル信号から同期を確立させて音声データを再生することができたとしても、発呼局の発ＩＤが不明であるため発呼局を特定できず、受信した情報が自局にとって必要な情報か否かを判別するのが難しく、また、必要な情報であったと判別できても発呼局に対して応答できないという問題があった。
【０００５】
本発明は、上記問題点に鑑みなされたものであり、送信元から送信された送信信号に含まれる同期バースト信号を受信している間に送信元の発ＩＤを取得できない場合でも、発呼局の発ＩＤを取得可能な受信装置を提供することを目的とするものである。
【課題を解決するための手段】
【０００６】
本発明の請求項１にかかる受信装置は、少なくとも同期ワードと送信局の発ＩＤを含む同期バースト信号と、同期バースト信号に連続して同期ワードと音声データを含む通信チャネル信号からなる送信信号を受信し、受信した前記送信信号を復調して同期ワードを検出し、受信した送信信号を復号する受信装置において、前記受信装置は、復号処理された復号データに前記発ＩＤが含まれているか否かを判定する発ＩＤ判定部と、受信開始から一定期間同期バースト信号を含む受信信号を記憶する記憶部と、前記記憶部に記憶された前記受信信号から発ＩＤを抽出する発ＩＤ抽出部と、を備え、前記発ＩＤ判定部で前記発ＩＤが復号データに含まれていなかったと判定した場合、前記記憶部に記憶された受信信号から前記発ＩＤ抽出部によって前記発ＩＤを抽出して送信局を特定することを特徴とする。
【０００７】
本発明の請求項２にかかる受信装置は、自局と同じグループに属する局の発ＩＤを前記記憶部に予め記憶し、受信信号から取得した発ＩＤを前記記憶部に予め記憶した発ＩＤと照合し、受信信号から取得した発ＩＤが前記記憶部に記憶した発ＩＤと一致しない場合、音声データを出力しないことを特徴とする。
【発明の効果】
【０００８】
請求項１記載の発明によれば、復号処理された復号データに発ＩＤが含まれているか否かを判定する発ＩＤ判定部と、受信開始から一定期間同期バースト信号を含む受信信号を記憶する記憶部と、記憶部に記憶された受信信号から発ＩＤを抽出する発ＩＤ抽出部とを備え、発ＩＤ判定部で発ＩＤが復号処理された復号データに含まれていなかったと判定した場合、記憶部に記憶された受信信号から発ＩＤ抽出部によって発ＩＤを抽出して送信局を特定することで、送信元から送信された送信信号に含まれる同期バースト信号を受信している間に送信元の発ＩＤを取得できない場合でも、記憶部に記憶させた同期バースト信号から発ＩＤを取得することが可能となるため、送信局が特定できる。
【０００９】
請求項２記載の発明によれば、自局と同じグループに属する局の発ＩＤを前記記憶部に予め記憶し、受信信号から取得した発ＩＤを前記記憶部に予め記憶した発ＩＤと照合し受信信号から取得した発ＩＤが前記記憶部に記憶した発ＩＤと一致しない場合、音声データを出力しないことで、自局に属しないグループからの音声を遮断することが可能となる。
【図面の簡単な説明】
【００１０】
【図１】本発明による受信装置１０の構成を表したブロック図である。
【図２】本発明の受信装置１０における発ＩＤ抽出処理の流れを説明したフローチャートである。
【図３】本発明の受信装置１０が適用される無線通信システムにおける無線信号の一例と、これを受信した受信装置における処理の一例を表した模式図である。
【発明を実施するための形態】
【００１１】
本発明による受信装置は、少なくとも同期ワードと送信局の発ＩＤを含む同期バースト信号と、同期バースト信号に連続して同期ワードと音声データを含む通信チャネル信号からなる送信信号を受信し、受信した前記送信信号を復調して同期ワードを検出し、受信した送信信号を復号する受信装置において、前記受信装置は、復号処理された復号データに前記発ＩＤが含まれているか否かを判定する発ＩＤ判定部と、受信開始から一定期間同期バースト信号を含む受信信号を記憶する記憶部と、前記記憶部に記憶された前記受信信号から発ＩＤを抽出する発ＩＤ抽出部と、を備え、前記発ＩＤ判定部で前記発ＩＤが復号データに含まれていなかったと判定した場合、前記記憶部に記憶された受信信号から前記発ＩＤ抽出部によって前記発ＩＤを抽出して送信局を特定することを特徴とするものである。以下、詳細に説明を行う。
【００１２】
先ず、本発明の受信装置１０を採用する無線通信システムでは、図３に示すように、送信局から少なくとも同期ワードと送信局の発ＩＤを含む同期バースト信号（ＳＢ）を例えば４フレーム連続で送信し、４フレームの同期バースト信号に連続して同期ワードと音声データ等からなる通信チャネル信号（ＳＣ）とを送信する通信方式を採用している。同期確立するための同期処理は、復調した受信信号から同期ワードを検出（同期捕捉）し、その検出した同期ワードと予め記憶部に記憶された同期ワードを照合することで行われる。図３において、受信装置Ａのように、２フレーム分の同期バースト信号（ＳＢ）によって同期確立ができた場合には、送信局の発ＩＤを取得することができるが、受信装置Ｂのように、４フレーム分の同期バースト信号（ＳＢ）によっても同期確立できなかった場合には、その後の通信チャネル信号（ＳＣ）によって同期確立したとしても通信チャネル（ＳＣ）には発ＩＤが含まれていないため送信局の発ＩＤを取得することができなかった。本発明では、受信装置Ｂのように通信チャネル信号（ＳＣ）受信段階になってから同期確立できた場合であっても発ＩＤを取得できることを特徴とするものである。
【００１３】
本発明の実施の形態を図面に基づいて説明する。図１に示すのは、本発明による受信装置１０の構成を表したブロック図である。この図１に示す受信装置１０において、無線部回路（ダウンコンバータ）１２は、アンテナ１１から入力された送信信号である高周波信号を受信して中間周波数信号またはベースバンド信号に変換処理し、Ａ／Ｄ変換部１３ａに出力する回路である。また、無線部回路１２内には入力電界強度に応じて適正な利得制御を行う自動利得制御（ＡＧＣ）回路を有し、そのＡＧＣの制御電圧をＡ／Ｄ変換部１３ｂに出力する。Ａ／Ｄ変換部１３ａ、１３ｂは、それぞれ入力したアナログ信号をサンプリングしてデジタル信号に変換する回路である。シンボルタイミング検出部１４、２１ａは、受信信号を正しく復調するためのシンボルタイミングを検出する回路である。記憶部１５は、Ａ／Ｄ変換部１３ａでサンプリングされた受信信号と自局が属するグループの発ＩＤを記憶するためのＲＡＭ等のメモリ装置である。受信電界検出部１６は、Ａ／Ｄ変換部１３ｂでＡ／Ｄ変換されたＡＧＣ制御電圧から受信電界レベルを検出するものであり、検出した受信電界レベルが閾値以上のレベルであるならば、サンプリングされた受信信号のシンボルタイミングをシンボルタイミング検出部１４で検出させるとともに、記憶部１５に記憶させる。復調処理部１７、２１ｂは、変調された受信信号の復調処理を行うものである。同期検出部１８、２１ｃは、復調された受信信号から同期ワードを検出するもので、検出した同期ワードと予め記憶した同期ワードを照合することで同期確立が行われる。復号処理部１９、２１ｄは、同期確立すると復調した信号の復号処理を行うものである。発ＩＤ判定部２０は、復号処理した復号データに発ＩＤが含まれているか否かを判定するとともに、発ＩＤが含まれている場合はその発ＩＤが自局に属するグループのものであるかを判定するためその発ＩＤと予め記憶部に記憶した発ＩＤとを照合し、自局が属するグループの発ＩＤであれば音声を出力するものである。なお、シンボルタイミング検出部２１ａ、復調処理部２１ｂ、同期検出部２１ｃ、復号処理部２１ｄを総称して発ＩＤ抽出部２１とする。
【００１４】
次に、図１に示した受信装置１０の動作について説明を行う。アンテナ１１で受信された送信信号を無線部回路１２において受信し、中間周波数信号またはベースバンド信号に変換するとともに、自動利得制御（ＡＧＣ）回路で生成されるＡＧＣ制御電圧をＡ／Ｄ変換部１３ｂに出力する。無線部回路１２で変換された中間周波数信号またはベースバンド信号はＡ／Ｄ変換部１３ａにおいてアナログ信号がサンプリングされてデジタル信号に変換され、変換された受信信号のサンプリングデータをシンボルタイミング検出部１４及び記憶部１５に出力する。また、無線部回路１２から出力されたＡＧＣ制御電圧は、Ａ／Ｄ変換部１３ｂにおいてデジタル変換処理され、これに基づいて受信電界検出部１６において受信電界レベルが閾値を超えているか否かの判定を行う。受信電界検出部１６が受信電界レベルが閾値を超えていると判定した場合、サンプリングデータのシンボルタイミングをシンボルタイミング検出部１４で検出させるとともに、記憶部１５に受信信号を一定期間分、例えば、通信チャネル（ＣＳ）受信時に同期確立した場合、受信信号に同期バースト信号が含まれるように最新の３フレーム分の受信信号を記憶する。受信電界レベルが閾値を超えていないと判定した場合、サンプリングデータのシンボルタイミングをシンボルタイミング検出部１４で検出処理を行なわせないとともに、記憶部１５に記憶させない。これは信号レベルの低いノイズ信号を誤って記憶させないためである。また、記憶部１５は、自局が属するグループの発ＩＤが予め記憶されている。
【００１５】
シンボルタイミング検出部１４では、Ａ／Ｄ変換部１３ａでサンプリングしたサンプリングデータのうち、正しく復調可能なサンプリングデータのタイミングを検出するために、シンボルタイミングをずらしながら適正なタイミング、例えば、サンプリングデータのゼロクロス点を検出し、検出したゼロクロス点に基づいてシンボル点を理想シンボル点に近づける。シンボルタイミング検出部１４では、シンボルタイミングとなるサンプリングデータを抽出して後段の復調処理部１７に出力する。復調処理部１７では、シンボルタイミング検出部１４から送られてきたサンプリングデータに基づいて復調処理を行う。復調処理部１７で復調処理をした信号を同期検出部１８に出力する。
【００１６】
同期検出部１８では、復調処理部１７で復調された信号から同期ワードを検出し、検出した同期ワードと予め記憶した同期ワードを照合することで同期確立が行われる。同期確立ができた場合、後段の復号処理部１９で復調した信号を復号して必要な情報を抽出する。例えば、同期バースト信号（ＳＢ）に含まれるＰＩＣＨを復号することで発ＩＤが得られる。
【００１７】
発ＩＤ判定部２０では、復号処理部１９で復号した復号データに発ＩＤが含まれているか否かを判定し、発ＩＤが復号データに含まれていなかった場合は、発ＩＤ抽出部２１のシンボルタイミング検出部２１ａに対して発ＩＤが抽出できなかったことを通知する。また、発ＩＤが復号データに含まれていた場合は、記憶部１５に記憶された発ＩＤと照合し、照合した結果、記憶された発ＩＤと一致すれば送信局は自局と同じグループであると判定して受信装置１０のディスプレイ（図示しない）に発ＩＤ（送信局名）を表示させ、受信した音声データを出力する。一方、記憶された発ＩＤと一致しなければディスプレイに発ＩＤ（送信局名）を表示させずに、受信した音声データも出力させないようにする。
【００１８】
次に発ＩＤ判定部２０で発ＩＤが復号データに含まれていなかった場合の処理について説明する。発ＩＤ判定部２０で発ＩＤが復号データに含まれていなかったと判定されると、前述のように発ＩＤ判定部２０はシンボルタイミング検出部２１ａに発ＩＤが抽出できなかったことを通知する。発ＩＤが抽出できなかった通知を受けたシンボルタイミング検出部２１ａは、発ＩＤを抽出するために、記憶部１５に記憶された受信信号を正しく復調するためのタイミングを検出するために、シンボルタイミングをずらしながら適正なタイミングを探索する。シンボルタイミング検出部２１ａでは、シンボルタイミングとなるサンプリングデータを抽出して復調処理部２１ｂに出力する。復調処理部２１ｂは、シンボルタイミング検出部２１ａから送られてきたサンプリングデータに基づいて復調処理を行い、復調した信号を同期検出部２１ｃに出力する。同期検出部２１ｃでは、復調処理部２１ｂで復調された信号から同期ワードを検出し、その検出した同期ワードを基に同期処理を行う。同期が確立すると、後段の復号処理部２１ｄで、復調した同期バースト信号（ＳＢ）に含まれるＰＩＣＨを復号することで発ＩＤを抽出し、発ＩＤ判定部２０へ出力し、発ＩＤ判定部２０では記憶部１５に記憶された発ＩＤと照合し、照合した結果、記憶された発ＩＤと一致すれば送信局は自局と同じグループであると判定して受信装置１０のディスプレイ（図示しない）に発ＩＤ（送信局名）を表示させ、受信した音声データを出力する。一方、記憶された発ＩＤと一致しなければディスプレイに発ＩＤ（送信局名）を表示させずに、受信した音声データも出力させないようにする。
【００１９】
図２に示すのは、本発明の受信装置１０における発ＩＤを抽出する処理の流れを説明したフローチャートである。本発明の受信装置１０において送信信号を受信した場合には、先ず、受信した送信信号を一定時間間隔でＡ／Ｄ変換部１３ａでサンプリングしてサンプリングデータをシンボルタイミング検出部１４、記憶部１５に出力する（Ｓ２０１）。
【００２０】
ステップＳ２０１でサンプリングした受信信号の受信電界レベルが所定の閾値を超えているか否かを受信電界検出部１６で判定する（Ｓ２０２）。受信電界レベルが閾値より低い場合（Ｓ２０２−Ｎｏ）には，ステップＳ２０２に戻り受信電界レベルを監視する。これは受信レベルの低いノイズ信号の場合は、後述する後段の信号処理を行なわせないことで消費電力を低減し、また、ノイズと判断したサンプリングデータを記憶部１５に記憶させないことができる。
【００２１】
受信電界レベルが閾値以上であることを検出した場合（Ｓ２０２−Ｙｅｓ）には、受信信号のサンプリングデータからシンボルタイミング検出部１４でシンボルタイミングをずらしながら適正なシンボルタイミングを探索するとともに、サンプリングデータを記憶部１５に記憶させる（Ｓ２０３）。この記憶させるデータ量は、一定期間分、例えば同期バースト信号が含まれるように３フレーム分の受信信号を記憶させる。
【００２２】
ステップＳ２０３でシンボルタイミング検出部１４による適正なシンボルタイミングのサンプリングデータを復調処理部１７で復調処理し、復調された信号から同期ワードを検出し、検出した同期ワードと予め記憶した同期ワードを照合する同期処理を行ない、同期が確立できたか否かを判定する（Ｓ２０４）。同期処理で同期が確立できなかった場合（Ｓ２０４−Ｎｏ）には送信信号を受信している間は同期確立するまで同期処理を繰り返す。なお、同期確立する前に送信信号の受信が終了したならば、受信信号のサンプリング処理などの信号処理は終了する。同期が確立できた場合（Ｓ２０４−Ｙｅｓ）には、ステップＳ２０５に進む。
【００２３】
ステップＳ２０４において同期確立できたならば、復号処理部１９で復調した信号を復号し、復号した復号データに発ＩＤが含まれているか否かを発ＩＤ判定部２０で判定する（Ｓ２０５）。発ＩＤが含まれていた場合（Ｓ２０５−Ｙｅｓ）にはステップＳ２０９に進み、発ＩＤが含まれていなかった場合（Ｓ２０５−Ｎｏ）にはステップＳ２０６に進む。
【００２４】
ステップＳ２０５で発ＩＤが復号データに含まれなかった場合（Ｓ２０５−Ｎｏ）には、ステップＳ２０６で記憶部１５に記憶させた受信信号のサンプリングデータを用いて発ＩＤ抽出部２１によって同期処理を行い同期確立させて復号処理する。復号処理した復号データに発ＩＤが含まれているか否かを発ＩＤ判定部２０で判定する（Ｓ２０７）。発ＩＤが抽出できなかった場合（Ｓ２０７−Ｎｏ）には発ＩＤ（送信局名）を非表示とし、受信した音声データを出力する（Ｓ２０８）。この場合の音声データを出力する理由としては、送信元が自局と同じグループに属する可能性があるためである。発ＩＤが含まれていた場合（Ｓ２０７−Ｙｅｓ）にはステップＳ２０９に進む。
【００２５】
ステップＳ２０９では、発ＩＤ判定部２０によって判定された発ＩＤを記憶部１５に予め記憶された発ＩＤと照合し、照合した結果、記憶部１５に記憶された発ＩＤであれば（Ｓ２０９−Ｙｅｓ）、送信元が自局と同じグループであると判定して受信装置１０のディスプレイ（図示しない）に発ＩＤ（送信局名）を表示させるとともに受信した音声データも出力する（Ｓ２１０）。一方、記憶部１５に記憶された発ＩＤでなければ（２０９−Ｎｏ）、送信元が自局と同じグループに属していないため自局に関係しない通信なので、ディスプレイに発ＩＤ（送信局名）を表示させずに、受信した音声データも出力させないようにする（Ｓ２１１）。
【００２６】
以上のように、本発明の受信装置１０によれば、同期バースト信号（ＳＢ）による同期確立に失敗しても、同期バースト信号を含む受信信号を一定期間記憶部１５に記憶させておいて、記憶部１５に記憶された同期バースト信号（ＳＢ）から送信局の発ＩＤを取得することが可能となる。通信チャネル信号（ＳＣ）受信段階になって同期確立できた場合、従来は音声データのみが再生されて送信局が不明の状態となってしまっていたが、本発明では発ＩＤを取得した段階で発ＩＤを表示することが可能となる。
【００２７】
前記実施例においては、記憶部１５に記憶された同期バースト信号（ＳＢ）から送信局の発ＩＤを取得した場合、音声データの再生を先に行っておいて発ＩＤを取得し次第受信装置のディスプレイ（図示しない）に送信局の情報を表示するようにしていたが、本発明はこれに限定されるものではない。例えば、自局が属するグループの発ＩＤを予め記憶部１５に記憶させておき、発ＩＤを取得した段階で記憶した発ＩＤと照合し、自局と同じグループでない場合には発ＩＤの表示をしないで音声データも出力しないようにしてもよい。
【００２８】
前記実施例においては、同期バースト信号（ＳＢ）受信中に同期を確立できなかった場合に、記憶部１５に記憶させた同期バースト信号（ＳＢ）から発ＩＤを取得することを特徴として説明をしたが、本発明はこれに限定されるものではない。本発明は、信号を受信し始めてから同期確立までの間の複数フレームに含まれた必要な情報を、一時的に記憶部１５に記憶させた受信開始からの複数フレームから同期確立後に必要な情報を抽出可能であるという発明であり、発ＩＤの取得に限らず様々な情報に適用可能である。
【符号の説明】
【００２９】
１０…受信装置、１１…アンテナ、１２…無線部回路（ダウンコンバータ）、１３ａ、１３ｂ…Ａ／Ｄ変換部、１４、２１ａ…シンボルタイミング検出部、１５…記憶部、１６…受信電界検出部、１７、２１ｂ…復調処理部、１８２１ｃ…同期検出部、１９，２１ｄ…復号処理部、２０…発ＩＤ判定部、２１…発ＩＤ抽出部。
【図１】
2015211369.tif 000003
【図２】
2015211369.tif 000004
【図３】
2015211369.tif 000005